(57)【要約】      （修正有）【課題】足腰に負担をかけず、楽な姿勢のままでダンボール箱の組み立て作業が可能となる組立式作業台を提供する。【解決手段】作業台は、ダンボール箱のブランク束２−１０を置く台と、台の内側に取り付けた差込ガイド２−１と、台の内側角に設けた直角ガイド２−２と、台の両側面に取り付けた組み立てボルトと、台の上側面に取り付けた粘着テープ（以下テープと表現）が回転する回転テープ置場２−３と、台の上側面に取り付けたスライドする事により回転しながらテープ２−４を切断する切断刃を収納する回転刃収納ボックス２−８により構成する。さらに、ブランクを拡開しフラップを折り曲げて、組み立てた箱を差込ガイドに差込み、ダンボール箱の角を直角ガイドに当て箱を直角にし、ダンボール箱の合わせ目をテープで貼り、事前に台に取り付けてあるテープ切断刃をスライドしテープを切断してダンボール箱に貼り付ける事により、ダンボールの組み立てからテープ貼りまで、腰を曲げずに簡単かつ楽な姿勢で作業ができる。【選択図】図２
0003164322.tif 000002
【実用新案登録請求の範囲】
【請求項１】
ダンボール箱のブランク束を置く台と、台の角に設けた直角ガイドと、台を組み立てる組み立てボルトと、粘着テープ（以下テープと表現）が回転する回転テープ置場と、スライドする事により回転しながらテープを切断する切断刃を収納する回転刃収納ＢＯＸで構成される装置であり、ブランクを拡開しフラップを折り曲げて組み立てた箱を差込ガイドに差込み、ダンボール箱の角を直角ガイドに当て、ダンボール箱を直角にし、ダンボール箱の合わせ目をテープで貼り、事前に台に取り付けてあるテープ切断刃をスライドしテープを切断してダンボール箱に貼り付ける事により、ダンボールの組み立てからテープ貼りまで、腰を曲げずに簡単かつ楽な姿勢で作業ができる組み立て式作業台。
【考案の詳細な説明】
【技術分野】
【０００１】
本考案は、農作業および社会全般において、ダンボール箱組み立て時の作業時間と作業工程を短縮する装置に関するものである。
【背景技術】
【０００２】
本考案は、ダンボール箱組み立て時等の作業工程にある。
【０００３】
ダンボール箱を組み立てるには、ダンボール箱のブランク（図３−１）を拡開し（図３−２）フラップを折り曲げ（図３−３、図３−４、図４−１の順で）組み立てて裏面をテープで貼り付けて（図４−２）裏返して（図４−３）完成である。
【０００４】
今まではダンボール箱のブランク束からダンボールを１枚ずつ取り出して地面等で組み立ててテープを貼り付けていたが、テープが曲がったまま貼り付けてしまったり、裏面のダンボール箱が良く重なり合っていないまま（隙間があったり、ひし形状）貼り付けていた事があった。
【０００５】
作業は、腰の曲げ伸ばしが連続し、時には立ったり座ったりを繰り返し、長時間無理な姿勢のままで作業するために、足腰にかなりの負担がかかっていた。
【非特許文献１】特開平０８−１３３２０９号公報
【考案の開示】
【考案が解決しようとする課題】
【０００６】
たたんだ状態のダンボールを開き、下部を折りたたんだ状態、または封かんまでの作業を行う機械は既に販売されている。
【０００７】
従来、特開平０８−１３３２０９号公報のように作業台を備えたダンボール箱閉蓋用フラップのテープ貼り機が開示されている。
【０００８】
しかしながら前述の機械は、１人がダンボールのブランクを拡開し機械に通し、もう１人が機械から出てきた完成したダンボール箱を取り出して、重ね合わせなければならないため常に２人作業になる。
【０００９】
全自動タイプでは機械が高価である。
【００１０】
機械は、トラックの荷台にリフトなどで乗せる事ができるが、かなりの重量と大きさがあり、電源（三相２００Ｖないしは単相１００Ｖ）も必要になるため農作業現場では不向きである。
【００１１】
使用場所は、作業場や工場に限られ、軽乗用車約１台分ほどの場所が必要であるという問題点があった。
【００１２】
後述の特開平０８−１３３２０９号公報では、ダンボール箱のブランクを１枚ずつセットして作業するため、作業時間と作業工程がかかりすぎる。
【００１３】
装置は複雑で重量もあり、製作費も高価で、時々メンテナンスも必要となる。
【００１４】
装置にリフト等を使用している為、指を挟んで怪我をするという問題点もあった。
【００１５】
解決しようとしている問題点は、農作業現場等でダンボール箱組み立て時等における作業時間と作業工程がかかりすぎ、しかもダンボール箱がきれいに組み立てられない事である。
【００１６】
そこで本考案は従来のダンボール箱組み立て時における、上記のような問題点を解決しようとするものであり、農作業現場はもとより、工業、商業、農林水産業、運輸業など各分野でのダンボール箱組み立て時等に適用し、安価で装置を製作及び購入ができ、簡単で安全且つ正確により早く、そして楽に作業ができる装置を提供する事を目的とするものである。
【課題を解決するための手段】
【００１７】
本考案は、上記の目的を達成するために、ダンボール箱の拡開から組み立てまでの一貫作業を一つの作業台上で可能にしたものである。
【００１８】
ダンボールのブランク束（１０枚）を置くスペースがあるため１０枚連続で組み立てができ、構造がシンプルであるためメンテナンスは回転刃の定期的交換、あるいは経年劣化による回転刃収納ＢＯＸの交換だけでよい。
【００１９】
使わない時は、装置の組み立てボルト（図１−１）を外す事により、コンパクトに収納でき、軽量、且つ小型の装置である。
【００２０】
モーター等がないため、電気も不要で安全に作業ができる。
【考案の効果】
【００２１】
上記のように構成された本考案のダンボール箱組み立て装置は、ダンボールのブランク束（１０枚）を置くスペースから１枚を取り出して拡開し、フラップを折り曲げテープを貼り付け、テープの切断まで、楽な姿勢のまま安全で簡単に作業ができるため、足腰の弱い人や高齢者や子供にも容易に作業がでる。
【００２２】
また、組み立てボルトにより組み立て可能で小型、軽量の為、持ち運びが容易で、電気が不要なために、作業者と作業場所を選ばないという利点がある。
【００２３】
なおブランク束（１０枚）を置くスペースがあるため１０枚連続で作業ができる。
【考案を実施するための最良の形態】
【００２４】
材質はプラスチック、アルミ、鉄などを多く使用する。
【００２５】
本装置の使用場所により、材質については適材適所で選ぶ事ができる。
【００２６】
装置は簡単に移動でき、しかも場所を取らないように軽量且つコンパクトで持ち運びが容易である。
【００２７】
子供から大人まで、簡単且つ安全に作業できるようにモーターなどは使用せず、構造及び操作はシンプルである。
【００２８】
使用しない時には、組み立てボルト（図１−１）を外す事によって側面フレーム（図９−１，図９−２）、フレーム板（図９−３）、回転テープ置場及び回転刃収納ＢＯＸ（図９−４）、底面フレーム（図９−５、図９−６）に、簡単に分解ができ、使用する時は簡単に組み立てができる。
【００２９】
回転刃および装置の重要部である回転刃収納ＢＯＸが経年劣化した時に簡単に取替えができ、販売、陳列、収納する時は場所をとらない形状の物とする。
【実施例１】
【００３０】
本装置（図１）の上（図９−３）にダンボールのブランク束（図２−１０）を置き（図２）、ダンボールの組み立て作業に入る。
【００３１】
本装置の上でダンボール箱のブランク（図３−１）を拡開し（図３−２）両サイドのフラップを折り曲げ（図３−３）その上に手前と奥のフラップを折り曲げ（図３−４）重ね合わせる（図４−１）。
【００３２】
次の工程で両手が使えるように差し込みガイド（図２−１）に折り曲げたダンボール箱を差し込み、次に直角ガイド（図２−２）に軽くダンボール箱を寄せる。
【００３３】
回転テープ置場（図２−３）からテープ（図２−４）を取り出しダンボール箱の端（図２−５）を上から軽く押さえながらテープをダンボールの端（図２−６）より５〜８ｃｍ程度下の位置から貼りはじめ、テープを端（図２−６）から差込ガイドの上（図２−１）までダンボールに貼っていく。
【００３４】
差込みガイドにはテープ貼付き防止加工が施してあるため、次の工程の時、差し込みガイドから容易にテープが外れる。
【００３５】
テープ切断刃収納ＢＯＸ（図２−８）（図５）のハンドル（図５−１）を手前に引きテープを切断する（図７−６）。
【００３６】
切断すると同時にテープ取り出し口（図２−９）にテープが貼り付き、次にダンボール箱を組み立てる時に容易にテープが引き出せる。
【００３７】
ハンドル（図５−１）を手前に引いた後、手の力をゆるめると伸縮バネ（図７−１）により切断刃がテープ切断刃収納ＢＯＸに収納される（図７−５）。
【００３８】
台と台のスペース（図２−１１）に指を入れ、ダンボール箱を左にスライドし、差込ガイド（図２−１）から外し、ダンボールの右端（図２−７）を上から軽く押さえながらテープをダンボールに貼り付ける（図４−２）。
【００３９】
ここまでの作業でダンボール箱の組み立て作業が完了し、本装置から取り出して（図４−２）、裏返して（図４−３）完成である。
【００４０】
ここまでの工程をブランク束（１０枚）が無くなるまで連続して同一場所で繰り返す。
【００４１】
回転刃は何度も使用する事により劣化する為、取替えが必要になる。
【００４２】
取替えは安全の為に手袋を使用し、ハンドル（図５−１）を手前に引いたまま安全ピン（図５−２）を回転刃収納ＢＯＸスライド部の穴（図５−３）に差込み、（図６−１）手の力をゆるめる。
【００４３】
安全ピンにより回転刃が収納ＢＯＸに収納されないのを確認し、回転刃に直接手で触れないように回転刃取り付けボルト（図６−２）を外す（図７−３）。
【００４４】
ピンセットなどで回転刃に直接手で触れないように交換し（図７−４）、再び回転刃取り付けナット（図７−２）に取り付ける。
【００４５】
ハンドル（図５−１）を手前に引き安全ピン（図５−２）を引き抜き、手の力をゆるめると伸縮バネ（図７−１）により回転刃収納ＢＯＸに収納される。
【００４６】
テープをセットするには、テープ（図８−１）をテープホルダー（図８−２）にセットする（図８−３、図８−４、図８−５）。
【００４７】
次に回転テープ置場（図２−３、側面図８−７）にホルダーピン（図８−６）を回転台ピンガイド（図８−８）に上（図８−９）から奥（図８−１０）までセットする。
【００４８】
交換する場合はセットする時と反対の動作をする。
【産業上の利用可能性】
【００４９】
以前はダンボール箱の裏面の合わせ目をステップルで留めていたが、市場、店舗などでの開封時の安全性を考慮し、現在ではおよそ８０％以上はテープで留めている。
【００５０】
農作物出荷時のおよそ９０％以上は、畑で作業し、多い時には１日に３００箱以上組み立てて出荷する時もある。
【００５１】
本装置は、農作物出荷時等におけるダンボール箱の組み立て作業を容易にし、又農業に限らず工業、商業、農林水産業、運輸業など多方面の分野にも利用が可能である。
【図面の簡単な説明】
【００５２】
【図１】装置外観図
【図２】装置使用図
【図３】ダンボール箱組み立て図
【図４】ダンボール箱組み立て図
【図５】回転刃収納ＢＯＸ図
【図６】回転刃収納ＢＯＸ図
【図７】回転刃収納ＢＯＸ断面図
【図８】テープホルダー図、回転テープ置場断面図
【図９】装置展開図
【符号の説明】
【００５３】
１−１  装置組み立てボルト
２−１  差込ガイド
２−２  直角ガイド
２−３  回転テープ置場
２−４  粘着テープ（テープ）
２−８  回転切断刃収納ＢＯＸ
２−９  テープ取り出し口
５−１  ハンドル
５−２  安全ピン
５−３  安全ピン差込穴
６−２  回転刃取付ボルト
７−１  伸縮バネ
７−２  回転刃取付ナット
７−３  回転刃取付ボルト
８−２  テープホルダー
８−６  ホルダーピン
８−８  回転台ピンガイド
９−１  側面フレーム
９−２  側面フレーム
９−３  フレーム板
９−４  回転テープ置場及び回転刃収納ＢＯＸ
９−５  底面フレーム
９−６  底面フレーム
【図１】
0003164322.tif 000003
【図２】
0003164322.tif 000004
【図３】
0003164322.tif 000005
【図４】
0003164322.tif 000006
【図５】
0003164322.tif 000007
【図６】
0003164322.tif 000008
【図７】
0003164322.tif 000009
【図８】
0003164322.tif 000010
【図９】
0003164322.tif 000011
【手続補正書】
【提出日】平成22年9月26日(2010.9.26)
【手続補正１】
【補正対象書類名】実用新案登録請求の範囲
【補正対象項目名】全文
【補正方法】変更
【補正の内容】
【実用新案登録請求の範囲】
【請求項１】
ダンボール箱のブランク束を置く台と、台の内側に取り付けた差込ガイドと、台の内側角に設けた直角ガイドと、台の両側面に取り付けた組み立てボルトと、台の上側面に取り付けた粘着テープ（以下テープと表現）が回転する回転テープ置場と、台の上側面に取り付けたスライドする事により回転しながらテープを切断する切断刃を収納する回転刃収納ボックスからなり、ブランクを拡開しフラップを折り曲げて、組み立てた箱を差込ガイドに差込み、ダンボール箱の角を直角ガイドに当て箱を直角にし、ダンボール箱の合わせ目をテープで貼り、事前に台に取り付けてあるテープ切断刃をスライドしテープを切断してダンボール箱に貼り付ける事により、ダンボールの組み立てからテープ貼りまで、腰を曲げずに簡単かつ楽な姿勢で作業ができる組み立て式作業台。